(57)【特許請求の範囲】
【請求項１】
複数の周波数変換の系を有し、相互に異なる周波数の中間周波信号をそれぞれ得ることで、前記複数の周波数の高周波信号を同時に受信可能としたヘテロダイン受信機において、
スプリアス妨害の発生に応答し、そのスプリアス妨害が発生した系と他の系との間で受信高周波が入替わるように、そのスプリアス妨害が発生した系と他の系とにおける局部発振器の局部発振周波数を、それぞれの系の中間周波フィルタに適応した周波数の中間周波信号を得るための周波数に変化させる周波数制御手段を含むことを特徴とするヘテロダイン受信機。
【請求項２】
前記スプリアス妨害が発生すると、使用者が操作する操作手段をさらに備え、
前記周波数制御手段は、前記操作手段の操作に応答して、局部発振器の局部発振周波数を変化させることを特徴とする請求項１記載のヘテロダイン受信機。
【請求項３】
前記複数は２であることを特徴とする請求項１または２記載のヘテロダイン受信機。
【請求項４】
前記中間周波信号からベースバンド信号を得る検波・復調回路と、前記ベースバンド信号を再生する再生手段との間に介在され、前記操作手段の操作に応答して、前記スプリアス妨害が発生した系と他の系との間で、前記ベースバンド信号を入替える切換え手段をさらに備えることを特徴とする請求項３記載のヘテロダイン受信機。
【請求項５】
前記ベースバンド信号は音声信号であり、前記切換え手段は入力４チャネルのスイッチＩＣであることを特徴とする請求項４記載のヘテロダイン受信機。
【請求項６】
少なくとも１つの系での受信に対応した送信系統を備えることを特徴とする請求項４または５記載のヘテロダイン受信機。
【発明の詳細な説明】
【技術分野】
【０００１】
本発明は、スーパーヘテロダイン方式の無線（受信）機において、受信系統を複数備えているものにおけるスプリアス妨害に対する対策手法に関する。
【背景技術】
【０００２】
高周波増幅器、局部発振器、混合器および中間周波フィルタを含む周波数変換の系を複数有し、相互に異なる周波数の中間周波信号をそれぞれ得ることで、前記複数の周波数の高周波信号を同時に受信可能としたヘテロダイン受信機において、その同時の受信中に、局部発振信号の周波数およびその高次成分によって、前記スプリアス妨害が発生することがある。そのスプリアスが、目的周波数または中間周波信号の周波数帯域内に発生すると、発生した側の信号が抑圧を受け、ベースバンド信号、たとえば音声信号が再生されないことになる。
【０００３】
たとえば、受信高周波信号の周波数をＲＦ１，ＲＦ２とし、局部発振信号の周波数をＬＯ１，ＬＯ２とし、中間周波信号の周波数をＩＦ１，ＩＦ２とし、ｍ，ｎを整数とするとき、
ＬＯ１×ｍ−ＬＯ２×ｎ＝（ＲＦ１−ＩＦ１）×ｍ−（ＲＦ２−ＩＦ２）×ｎ
＝ＲＦ１ｏｒＲＦ２ｏｒＩＦ１ｏｒＩＦ２  ・・・（１）
となるようなケースでスプリアス妨害が発生する。
【０００４】
具体的に、ＲＦ１＝４４０．０２５ＭＨｚ、ＲＦ２＝４３９．８００ＭＨｚ、ＩＦ１＝３８．８５ＭＨｚ、ＩＦ２＝４６．３５ＭＨｚとするとき、ＬＯ１＝４０１．１７５ＭＨｚ、ＬＯ２＝３９３．４５ＭＨｚとなり、ｍ＝ｎ＝６で、
ＬＯ１×ｍ−ＬＯ２×ｎ＝４６．３５ＭＨｚ＝ＩＦ２
となってしまう。この場合、スプリアス妨害が発生した（ＩＦ２）側の信号が抑圧を受ける。
【０００５】
そこで、このような問題に対応するために、第１の従来技術では、ヘテロダイン反転と言う手法が用いられている。詳しくは、受信高周波信号の周波数をＲＦとし、所望とする中間周波信号の周波数をＩＦとするとき、局部発振信号の周波数ＬＯを、ＲＦ＋ＩＦとＲＦ−ＩＦとの２種類作成可能とし、たとえばＬＯ＝ＲＦ＋ＩＦで受信中にスプリアス妨害が発生すると、ＬＯ＝ＲＦ−ＩＦに切替えると言うものである。
【０００６】
一方、本件出願人は、先に特許文献１を提案している。その第２の従来技術によれば、１つの周波数変換の系において、相互に異なる通過周波数の中間周波フィルタ（バンドパスフィルタ）を並列に２つ設けて、受信周波数の関係で、元々のＬＯ１−ＬＯ２の差分、たとえば上述の例の場合は４６．３５−３８．８５＝７．５ＭＨｚに、実際の差分が近付くと、局部発振信号同士が干渉し合って相互変調が発生し、その成分を中間周波フィルタ（バンドパスフィルタ）で取り除くことができなくなるので、中間周波フィルタを切替えるとともに、対応して局部発振信号の周波数も、その中間周波フィルタの周波数差だけずらすことで、対応している。
【先行技術文献】
【特許文献】
【０００７】
【特許文献１】特許第３８２３０６３号公報
【発明の概要】
【発明が解決しようとする課題】
【０００８】
第１の従来技術によれば、スプリアス妨害が発生すると、局部発振器（ＶＣＯ）の発振周波数ＬＯを、２ＩＦ分、たとえば１００ＭＨｚ近くずらさなければならない。局部発振器の周波数可変範囲を大きくすると、そのコントローラにおける周波数分解能が下がり、所望周波数に安定させられる精度が低くなる。また、そもそも、前記のような大きな周波数可変範囲を有する局部発振器（ＶＣＯ）は実現し難く、そのため、ヘテロダイン反転を行う場合は、事実上、２つの局部発振器（ＶＣＯ）を搭載しなければならず、基板の実装面積が増加するという問題がある。
【０００９】
また、第２の従来技術によれば、スプリアス妨害の発生時に局部発振器（ＶＣＯ）の発振周波数ＬＯをずらす幅は、数ＭＨｚ程度で済み、比較的大きな実装面積を占める局部発振器（ＶＣＯ）は１つで済む。しかしながら、中間周波フィルタが２つ必要になるとともに、その中間周波フィルタの前後の切替えスイッチも必要になり、局部発振器（ＶＣＯ）の削減分以上に、コストが嵩むという問題がある。
【００１０】
すなわち、従来では、車載機などの基板の実装面積に余裕のある場合は第１の従来技術を採用し、ポータブル機などの小型化が要求される場合は、コストが高くなっても第２の従来技術を採用すると言うような使い分けの行われているのが実情である。
【００１１】
本発明の目的は、複数の周波数の高周波信号を同時に受信する際のスプリアス妨害を回避するための基板の実装面積およびコストを削減することができるヘテロダイン受信機を提供することである。
【課題を解決するための手段】
【００１２】
本発明のヘテロダイン受信機は、複数の周波数変換の系を有し、相互に異なる周波数の中間周波信号をそれぞれ得ることで、前記複数の周波数の高周波信号を同時に受信可能としたヘテロダイン受信機において、スプリアス妨害の発生に応答し、そのスプリアス妨害が発生した系と他の系との間で受信高周波が入替わるように、そのスプリアス妨害が発生した系と他の系とにおける局部発振器の局部発振周波数を、それぞれの系の中間周波フィルタに適応した周波数の中間周波信号を得るための周波数に変化させる周波数制御手段を含むことを特徴とする。
【００１３】
上記の構成によれば、スーパーヘテロダイン方式の無線（受信）機で、高周波増幅器、局部発振器、混合器および中間周波フィルタを含む周波数変換の系を有する受信系統を複数備え、相互に異なる周波数の中間周波信号をそれぞれ得ることで、前記複数の周波数の高周波信号を同時に受信可能としたものにおいて、スプリアス妨害の発生に応答し、そのスプリアス妨害が発生した系と他の系との間で受信高周波が入替わるように、そのスプリアス妨害が発生した系と他の系とにおける局部発振器の局部発振周波数を変化させる周波数制御手段を設ける。
【００１４】
具体的には、たとえば前記のように、ＲＦ１＝４４０．０２５ＭＨｚ、ＲＦ２＝４３９．８００ＭＨｚ、ＩＦ１＝３８．８５ＭＨｚ、ＩＦ２＝４６．３５ＭＨｚとするとき、ＬＯ１＝４０１．１７５ＭＨｚ、ＬＯ２＝３９３．４５ＭＨｚとなるように、周波数制御手段は、それぞれの局部発振器の局部発振周波数を制御している。この状態でスプリアス妨害が発生すると、たとえば音声信号が出なくなったことから使用者が手動で入替え操作を行い、或いはスプリアス妨害の発生を検出した検出手段が自動的に入替え操作を行い、スプリアス妨害が発生した系と他の系とにおける局部発振器の局部発振周波数を変化させる。その変化は、ＲＦ１とＲＦ２とを入替えることになるのであるが、中間周波フィルタの中心周波数、すなわちＩＦ１，ＩＦ２は変化させないので、
ＬＯ１＝４３９．８００−３８．８５＝４００．９５ＭＨｚ
ＬＯ２＝４４０．０２５−４６．３５＝３９３．６７５ＭＨｚ
となる。これによって、前記式１の関係は成立しなくなり、スプリアス妨害を回避することができる。
【００１５】
したがって、局部発振器の周波数可変範囲を無闇に大きくすることなく、すなわち１つの波長（帯域）に１つの局部発振器としつつも、中間周波フィルタなどの他の部品も変更する必要は無く、複数の周波数の高周波信号を同時に受信可能とするにあたって、スプリアス妨害を回避するための基板の実装面積およびコストを削減することができる。
【００１６】
また、本発明のヘテロダイン受信機では、前記スプリアス妨害が発生すると、使用者が操作する操作手段をさらに備え、前記周波数制御手段は、前記操作手段の操作に応答して、局部発振器の局部発振周波数を変化させることを特徴とする。
【００１７】
上記の構成によれば、スプリアス妨害が発生すると、たとえば音声信号が出なくなったことから使用者がそれを検知すると、操作手段を操作することで、受信高周波の入替え操作を行うことができる。
【００１８】
さらにまた、本発明のヘテロダイン受信機では、前記複数は２であることを特徴とする。
【００１９】
上記の構成によれば、たとえばメインバンドとサブバンドとのように区別して、２つの高周波信号の受信が可能であり、前記スプリアス妨害が発生すると、その２つの高周波信号を、２つの受信系統の間で入替えることになる。
【００２０】
また、本発明のヘテロダイン受信機では、前記中間周波信号からベースバンド信号を得る検波・復調回路と、前記ベースバンド信号を再生する再生手段との間に介在され、前記操作手段の操作に応答して、前記スプリアス妨害が発生した系と他の系との間で、前記ベースバンド信号を入替える切換え手段をさらに備えることを特徴とする。
【００２１】
上記の構成によれば、２つの周波数変換の系は、後段にそれぞれ検波・復調回路および再生手段を備えて受信系統が構成されている。そこで、音声信号などのベースバンド信号を再生するにあたって、上述のようにスプリアス妨害が発生すると、２つの受信系統の間で高周波信号が入替わることに対応して、スピーカなどの再生手段の直前で、再度ベースバンド信号の段階で、切換え手段によって、２つの信号を入替える。
【００２２】
したがって、無線（受信）機の内側では、スプリアス妨害が発生すると、メインバンドとサブバンドとが入替わっているものの、それぞれの再生手段からは、スプリアス妨害が発生する以前と同様のベースバンド信号が再生されることになる。したがって、使用者がメインバンドとサブバンドとを入替えるような操作が不要になるとともに、使用者に入替わりそのものを意識させないでおくこともでき、操作性を向上することができる。
【００２３】
さらにまた、本発明のヘテロダイン受信機では、前記ベースバンド信号は音声信号であり、前記切換え手段は入力４チャネルのスイッチＩＣであることを特徴とする。
【００２４】
上記の構成によれば、音声信号を受信するにあたって、検波・復調回路と、スピーカである再生手段との間に、入力４チャネルのスイッチＩＣを設ける。スイッチＩＣは、１チャネルのものでも、４チャネルのものでも、大きさやコストはあまり変らず、２つの高周波信号の受信を行う場合は、元々、どちらのチャネルの音声を、左右のどちらのスピーカで音響化するのかを、この入力４チャネルのスイッチＩＣを用いて、切換え可能に構成している。そこで、この入力４チャネルのスイッチＩＣを前記操作手段の操作に連動させて切換えることで、上述のようなメインバンドとサブバンドとの入替えが可能になる。
【００２５】
したがって、従来からのコストやスペースの増加が殆ど無く、上述の受信高周波信号（メインバンドとサブバンド）の入替を行うことができる。
【００２６】
また、本発明のヘテロダイン受信機では、少なくとも１つの系（高周波信号）での受信に対応した送信系統を備えることを特徴とする。
【００２７】
上記の構成によれば、メインバンドとサブバンドの両方、或いはメインバンドのみには、受信系統に対応した、すなわち同じ高周波信号の送信系統を備える。
【００２８】
したがって、一方の高周波信号をモニターしながら、もう一方の高周波信号で送受信を行うことができる。
【発明の効果】
【００２９】
本発明の無線受信機は、以上のように、スーパーヘテロダイン方式の無線（受信）機で、複数の周波数の高周波信号を同時に受信可能としたものにおいて、スプリアス妨害の発生に応答し、そのスプリアス妨害が発生した系と他の系との間で受信高周波が入替わるように、そのスプリアス妨害が発生した系と他の系とにおける局部発振器の局部発振周波数を変化させる周波数制御手段を設ける。
【００３０】
それゆえ、スプリアス妨害の回避を、局部発振器の周波数可変範囲を無闇に大きくすることなく、かつ他の部品も変更すること無く、実現することができ、複数の周波数の高周波信号を同時に受信可能とするにあたって、スプリアス妨害を回避するための基板の実装面積およびコストを削減することができる。
【図面の簡単な説明】
【００３１】
【図１】本発明の実施の一形態に係る無線機の全体構成を示す斜視図である。
【図２】前記無線機における受信系統の一構成例を示すブロック図である。
【発明を実施するための形態】
【００３２】
図１は、本発明の実施の一形態に係る無線機１の全体構成を示す斜視図である。この無線機１は、コントローラ２と、本体３と、ハンドマイク４とを備えて構成される。本体３内には、送受信や制御の回路が内蔵されており、それらの回路は、使用者のコントローラ２やハンドマイク４への操作に応答して、所望の周波数での受信を行い、本体３に内蔵されたスピーカや外部に増設されたスピーカから、受信された音声信号（ベースバンド信号）を音響出力するとともに、ハンドマイク４のＰＴＴスイッチ４１が押し込まれている間、マイクロホン４２で収音された音声信号を、所望の周波数で送信を行う。本体３は、天井や壁面、或いは車のダッシュボードなどにそれぞれ適したブラケットによって、それらに取付け可能となっている。コントローラ２は、その本体３に対して、ブラケットなどによって取付け可能となっている。
【００３３】
この無線機１で注目すべきは、コントローラ２の左右対称な構成からも理解されるように、２つの高周波信号の同時受信が可能となっていることである。前記２つの高周波信号は、いずれも、ＶＨＦ帯およびＵＨＦ帯の両方を含み、相互に等しい。この受信帯域の詳細は、下記の表１の通りである。ただし、送信は、一部の帯域、具体的には、１４４．０００〜１４６．０００ＭＨｚおよび４３０．０００〜４４０．０００ＭＨｚに限られる。
【００３４】
【表１】
0006361481.tif 000002
【００３５】
そして、無線機１では、メインバンド釦２１，２２が操作された側がメインバンドとなり、他方がサブバンドとなり、ダイアル２３，２４で選択されている周波数で受信された音声信号が、ボリウム２５，２６で設定された音量で、前記スピーカから音響出力される。スピーカは、外部に接続されていない場合は、内蔵のスピーカから音響出力され、外部に接続されている場合は、その外部のスピーカから音響出力され、外部に左右両チャネルのスピーカが接続されている場合は、２つの受信高周波信号の音声信号が、その左右のスピーカに分離されて音響出力される。
【００３６】
これに対応して、液晶パネルなどで実現される表示パネル２９も、左右の表示領域２７，２８を有し、それぞれに受信周波数や送受信レベルが表示されるようになっている。なお、本実施の形態では、送信は、メインバンドで選択されている側でしか行われず、サブバンド側は、モニターのみとなる。
【００３７】
図２は、無線機１における受信系統の一構成例を示すブロック図である。図２では、送信系統は省略しているが、上述のようにメインバンドに選択されている側の送信系統だけが、コントロール回路５０によって送信可能となる。この無線機１の２つの受信系統は、それぞれＶＨＦ帯およびＵＨＦ帯の両方を受信可能な、ダブルスーパーヘテロダイン方式の受信機を構成する。以降、便宜上、前記の２つの受信系統は、前記の通り、左チャネルおよび右チャネルと言う。
【００３８】
したがって、左チャネルには、ＶＨＦ帯の高周波増幅器６１１、局部発振器６２１、混合器６３１、中間周波フィルタ６４および中間周波アンプ６０から成る周波数変換の系と、ＵＨＦ帯の高周波増幅器６１２、局部発振器６２２、混合器６３２、前記中間周波フィルタ６４および中間周波アンプ６０から成る周波数変換の系とを有する。局部発振器６２１，６２２は、１つのパッケージ６２に封入されており、たとえば実装基板においてパッケージ６２の裏側には、該局部発振器６２１，６２２の発信周波数を安定させるためのＰＬＬ回路が実装されている。中間周波アンプ６０からの中間周波信号は、２段目の周波数変換回路６５によって低周波に変換され、得られた中間周波信号から復調・検波回路６６において、ベースバンド信号としての音声信号が復調され、得られた音声信号は低周波フィルタ６７を介して出力される。２段目の周波数変換回路６５における中間周波数は、たとえば４５０ｋＨｚである。
【００３９】
同様に、右チャネルには、ＶＨＦ帯の高周波増幅器７１１、局部発振器７２１、混合器７３１、中間周波フィルタ７４および中間周波アンプ７０から成る周波数変換の系と、ＵＨＦ帯の高周波増幅器７１２、局部発振器７２２、混合器７３２、前記中間周波フィルタ７４および中間周波アンプ７０から成る周波数変換の系とを有する。局部発振器７２１，７２２は、１つのパッケージ７２に封入されている。中間周波アンプ７０からの中間周波信号は、２段目の周波数変換回路７５によって低周波に変換され、得られた中間周波信号から復調・検波回路７６において音声信号が復調され、得られた音声信号は低周波フィルタ７７を介して出力される。２段目の周波数変換回路７５における中間周波数は、たとえば４５０ｋＨｚである。
【００４０】
低周波フィルタ６７，７７からの音声信号は、切換え手段であるアナログスイッチＩＣ８４に入力される。アナログスイッチＩＣ８４は、たとえば、図示のようにクロス配線された入力４チャネル、出力４チャネルのＩＣスイッチであり、元々、電源ＯＮ／ＯＦＦ時のミュートや、どちらのチャネルの音声を、左右のどちらのスピーカで音響化するのかを、切換え可能にするために設けられている。このアナログスイッチＩＣ８４を用いて、本実施の形態は、４チャネルの入力に対して、出力をクロスさせて実質２チャネルで出力するように配線しておくことで、参照符号８４の状態から参照符号８４ａで示す状態に、左右各チャネルの音声信号を、相互に入替えられるようになっている。
【００４１】
アナログスイッチＩＣ８４からの左右各チャネルの音声信号は、低周波増幅器６８，７８でそれぞれ増幅されて、再生手段であるスピーカ６９，７９から音響出力される。前述のように外部スピーカ６９，７９が接続されていなかったり、片チャネルしか接続されていない場合は、左右両チャネルの音声信号は、本体３の内蔵スピーカ８０や、その接続された単一のスピーカから音響出力される。そのため、ジャック８１，８２には切換えの接点や、低周波増幅器７８からの出力を低周波増幅器６８の入力側に与えるライン８３などが設けられている。
【００４２】
これらのアナログスイッチＩＣ８４の切替えや、局部発振器６２１，６２２；７２１，７２２のいずれを動作させるか、コントローラ２の操作に応答したチューニングやボリウム調整、さらには表示パネル２９の制御などは、コントロール回路５０によって行われる。コントローラ２には、前記のメインバンド釦２１，２２、ダイアル２３，２４、ボリウム２５，２６或いは後述のセットスイッチ２０などの操作を受け付けるとともに、表示パネル２９の表示制御を行うコントロール回路３０が設けられており、前述のコントロール回路５０は、このコントロール回路３０と通信を行うことで、制御を行う。
【００４３】
上述のように構成される無線機１において、左右両方のチャネルで少なくとも受信を行っている状態で、スプリアス妨害が発生すると、使用者は、たとえば音響出力が消失したことからそのことを検知し、コントローラ２のセットスイッチ２０を操作する。コントロール回路５０は、操作手段としてのそのセットスイッチ２０の操作に応答して、左右各チャネルで受信高周波が入替わるように、局部発振器６２１，６２２；７２１，７２２の発信周波数を入替えるとともに、アナログスイッチＩＣ８４を切替え、左右の音声信号を入替える。
【００４４】
その局部発振器６２１，６２２；７２１，７２２の発信周波数の入替えについて詳述する。左右各チャネル間は、相互間の干渉が生じないように、第１の中間周波信号で、前述のＩＦ１＝３８．８５ＭＨｚとＩＦ２＝４６．３５ＭＨｚとに周波数分離され、これらの周波数は固定である。
【００４５】
一方、受信すべき高周波信号の周波数を、たとえば前述のように、ＲＦ１＝４４０．０２５ＭＨｚ、ＲＦ２＝４３９．８００ＭＨｚとすると、それぞれＵＨＦ帯の高周波増幅器６１２，７１２が使用され、コントロール回路５０は、対応する局部発振器６２２，７２２の局部発振周波数ＬＯ１，ＬＯ２を制御する。その制御される周波数は、図２でも示すように、
ＬＯ１＝ＲＦ１−ＩＦ１＝４４０．０２５−３８．８５＝４０１．１７５ＭＨｚ
ＬＯ２＝ＲＦ２−ＩＦ２＝４３９．８００−４６．３５＝３９３．４５０ＭＨｚ
となる。
【００４６】
しかしながら、そうすると、共に６倍の高調波の周波数差は、４６．３５ＭＨｚとなり、＝ＩＦ２となって前述の式１が成立し、スプリアス妨害が発生してしまう。これに対して、コントロール回路５０は、ＲＦ１＝４３９．８００ＭＨｚ、ＲＦ２＝４４０．０２５ＭＨｚとなるように、局部発振器６２２，７２２の局部発振周波数ＬＯ１，ＬＯ２を制御する。その制御される周波数は、
ＬＯ１＝４３９．８００−３８．８５＝４００．９５ＭＨｚ
ＬＯ２＝４４０．０２５−４６．３５＝３９３．６７５ＭＨｚ
となる。したがって、前記式１の関係は成立しなくなり、スプリアス妨害を回避することができる。そして、局部発振器６２２の局部発振周波数ＬＯ１を目的の周波数からずらす量は、４０１．１７５−４００．９５＝０．２２５ＭＨｚ、局部発振器７２２の局部発振周波数ＬＯ２をずらす量は、３９３．４５０−３９３．６７５＝−０．２２５ＭＨｚと、共に１ＭＨｚ以内の極めて微小な量である。なお、上述の例は一例であり、局部発振周波数ＬＯ１，ＬＯ２をずらす量は、受信高周波信号の周波数ＲＦ１，ＲＦ２や、設定中間周波数ＩＦ１，ＩＦ２など、スプリアス妨害の発生状況によって異なる。
【００４７】
したがって、局部発振器６２１，６２２；７２１，７２２の周波数可変範囲を無闇に大きくすることなく、すなわち１つの波長（上述の例ではＶＨＦ帯とＵＨＦ帯）に１つの局部発振器としつつも、中間周波フィルタ６４，７４などの他の部品も変更する必要は無く、複数の周波数の高周波信号を同時に受信可能とするにあたって、スプリアス妨害を回避するための基板の実装面積およびコストを削減することができる。
【００４８】
さらに、周波数変換の系の後段において、検波・復調回路６６，７６とスピーカ６９，７９との間に、前記セットスイッチ２０の操作に応答して、左右のチャネル間の音声信号を入替えるアナログスイッチＩＣ８４を設けることで、無線機１の内側では、スプリアス妨害が発生すると、メインバンドとサブバンドとが入替わってしまっても、それぞれのスピーカ６９，７９からは、スプリアス妨害が発生する以前と同じ送信相手からの音声信号が再生されることになる。したがって、使用者がメインバンドとサブバンドとを入替えるような操作が不要になるとともに、使用者に入替わりそのものを意識させないでおくこともでき、操作性を向上することができる。この場合、表示パネル２９での表示も、左右のチャネル間で、入替わらないで、そのまま表示されることが望ましい。
【００４９】
そして、アナログスイッチＩＣ８４は、１チャネルのものでも、４チャネルのものでも、大きさやコストはあまり変らず、２つの高周波信号の受信を行う場合は、通常、４チャネルのものが１つ用いられることが多いので、再生すべきベースバンド信号が２つのチャネルの音声信号である場合、その音声信号の入替えにこの入力４チャネルのアナログスイッチＩＣ８４を用い、４チャネルの入力に対して、出力がクロスして最終的に２チャネルとなるように配線しておくことで、従来からのコストやスペースの増加が殆ど無く、上述の受信高周波信号（メインバンドとサブバンド）の入替を行うことができる。
【００５０】
なお、上述の例では、スプリアス妨害が発生すると、使用者がセットスイッチ２０を手動操作することで受信高周波の入替えを行っているが、スプリアス妨害の検知手段が検知すると、コントロール回路５０が自動的に入替えを行うようにしてもよい。
【００５１】
また、上述の例では、メインバンドとサブバンドとで、同時に受信する高周波信号は２つであったけれども、３つ以上であってもよい。その場合、スプリアス妨害が発生した系と、他の任意の系とで、受信高周波の入替えを行うようにすればよい。
【００５２】
さらにまた、無線機１は、アナログとデジタルとのいずれであってもよく、また変調方式もＡＭ、ＦＭ或いは他の変調方式であってもよい。
【００５３】
上述の例では、同時に２つの高周波信号の受信を行うにあたって、サブバンドとなっているチャネルは受信専用であったが、そのような用途は、モニターは認められているものの、一般のアマチュア無線機では送信の認められていない航空無線周波数（エアバンド）の受信に適用することが好ましい。こうして、適切に発信を禁止しつつ、受信のみで、無線機１の興趣性を高めることができる。
【符号の説明】
【００５４】
１    無線機
２    コントローラ
２１，２２    メインバンド釦
２３，２４    ダイアル
２５，２６    ボリウム
２９    表示パネル
３    本体
３０，５０    コントロール回路
４    ハンドマイク
４１    ＰＴＴスイッチ
６０，７０    中間周波アンプ
６１１，７１１    ＶＨＦ帯の高周波増幅器
６１２，７１２    ＵＨＦ帯の高周波増幅器
６２    パッケージ
６２１，７２１    局部発振器
６２２，７２２    局部発振器
６３１，７３１    混合器
６３２，７３２    混合器
６４，７４    中間周波フィルタ
６５，７５    ２段目の周波数変換回路
６６，７６    復調・検波回路
６７，７７    低周波フィルタ
６８，７８    低周波増幅器
６９，７９    スピーカ
８０    内蔵スピーカ
８４    アナログスイッチＩＣ
【図１】
0006361481.tif 000003
【図２】
0006361481.tif 000004